(57)【要約】      （修正有）【課題】ステーに対して連結ボルトを簡単にロック、解除することのできる足場支持枠を提供する。【解決手段】主杆１と、主杆の筒内を貫通するボルト棒２と、主杆１の先端に配置されてボルト棒２の回動操作によって拡大、縮小するジャッキ部３と、先端が主杆１に枢支されたステー５と、ステー５の後端部と主杆１の後端部とを取付角度調整自在に連結する連結ボルト６とを備え、ステー５は、連結ボルト６を出し入れ可能に挿通する貫通孔と、貫通孔の下方に配置されてステー５の先端から出没可能に組み込まれたスライド板１７とを備え、スライド板１７は、連結ボルトを貫通する長孔１７ａと、連結ボルト６に螺合されたナット１８の周縁下面を係合する係合片１７ｂとを備え、係合片１７ｂは、スライド板１７を引き出した位置でナット１８への係合が解除されるように形成する。【選択図】図１
0003221262.tif 000002
【実用新案登録請求の範囲】
【請求項１】
筒状の主杆と、当該筒状主杆の筒内を貫通するボルト棒と、前記筒状主杆の先端に配置されて前記ボルト棒の回動操作によって拡大、縮小するジャッキ部と、前記筒状主杆と同じ長さ方向に沿って配置されてその先端が筒状主杆に枢支されたステーと、当該ステーの後端部と前記筒状主杆の後端部とを取付角度調整自在に連結する連結ボルトとを備えた足場支持枠において、
前記ステーは、前記連結ボルトを出し入れ可能に挿通する貫通孔と、この貫通孔の下方に配置されてステーの先端から出没可能に組み込まれたスライド板とを備え、
前記スライド板は、前記連結ボルトを貫通する長孔と、前記連結ボルトに螺合されたナットの周縁下面を係合する係合片とを備えており、
当該係合片は、前記スライド板を引き出した位置でナットへの係合が解除されるように形成されている足場支持枠。
【請求項２】
前記スライド板の露出端に当該スライド板を引き出すための操作爪片が設けられている請求項１に記載の足場支持枠。
【請求項３】
前記スライド板の係合片をナット係合位置に常時付勢するスプリングが設けられている請求項１または請求項２に記載の足場支持枠。
【請求項４】
前記ステーに、前記筒状主杆に対して弾力的に嵌合する弾性掴み部が設けられている請求項１〜請求項３のいずれかに記載の足場支持枠。
【考案の詳細な説明】
【技術分野】
【０００１】
本考案は、土止めのためのコンクリート打設壁や石積み壁等の擁壁に水抜きのために設けられている水抜き用パイプを利用して作業用足場を作るために使用される足場支持枠に関するものである。
【背景技術】
【０００２】
土止めのために施工される擁壁には上下左右に一定の間隔を隔てて下向きに傾斜した水抜きパイプが設けられる。そして従来では、この擁護の施工最終段階で表面モルタル張り等の表面仕上げする場合、或は補修工事する場合に前記水抜きパイプに足場ステーとなる支持枠を嵌入して固定し、これに台板を架け渡して作業用の足場を組んでいる。
【０００３】
このような足場支持枠として、異なった径の水抜きパイプに対して、簡単に着脱できるように先端部分に拡大、縮小可能なジャッキ部を備えたタイプのものが、例えば本特許出願人等によって提案した特許文献１や特許文献２で示されたものがある。
【０００４】
図５並びに図６は、上記ジャッキ部を備えた従来の足場支持枠を示すものである。この足場支持枠は、筒状の主杆２１と、当該筒状主杆の筒内を貫通するボルト棒２２と、筒状主杆２１の先端に配置されて前記ボルト棒の回動操作によって拡大、縮小するジャッキ部２３と、先端部で枢軸２４を介して筒状主杆２１に揺動可能に枢支されたステー２５と、当該ステーの後端部と前記筒状主杆２１の後端部とを取付角度調整自在に連結する連結ボルト２６とから構成されている。そして、連結ボルト２６は、ステー２５に開口させた貫通孔２５ａに出し入れ可能に挿通され、上下のナット２７、２８を締め付けることによりステー２５に固定されている。使用時には、ジャッキ部２３を擁壁Ａの水抜きパイプＢに差し込んで、ボルト棒２２を回動操作部２９で回動することによりジャッキ部２３を拡大させて水抜きパイプＢの内面に圧着固定させ、ステー２５を水平な姿勢に調整して上下のナット２７、２８を締め付けることにより連結ボルト２６に固定して使用する。
【先行技術文献】
【特許文献】
【０００５】
【特許文献１】実用新案登録第２５６０９０６号公報
【特許文献２】特許第２８２９７１２号公報
【考案の概要】
【考案が解決しようとする課題】
【０００６】
しかし、上記の足場支持枠では、ステー２５を連結ボルト２６に固定するのに、上下のナット２７、２８を回動させて締結する必要があるため、操作が面倒であった。また、使用後に折りたたむ際は、図６（ａ）に示すように上部ナット２７を連結ボルト２６から取り外して連結ボルト２６をステー２５から引き抜いたあと、図６（ｂ）に示すように連結ボルト２６並びにステー２５を筒状主杆２１に沿って寝かすように折りたたむのであるが、上部ナット２７を連結ボルト２６の先端から取り外す操作に手間を要した。足場支持枠は一つの現場で数多く用いられるので、上記したような上下ナットによる締結や、上部ナットの取り外し作業は足場支持枠の数が増加するほど多くの作業時間を要することになる。
【０００７】
また、上記した従来の足場支持枠を使用しないときは、図６（ｂ）のように、連結ボルト２６並びにステー２５を筒状主杆２１に沿うように単に折り畳まれているだけであるので不安定であり、持ち運び時に不用意に開いてしまうことがあった。
【０００８】
そこで本考案は、上記課題に鑑み、ステーに対して連結ボルトを簡単に連結ロックすることができるとともに、簡単にロックを解除して分離することのできる足場支持枠を提供することを第１の目的とする。
【０００９】
また本考案は、不使用時に連結ボルト並びにステーを筒状主杆に沿うように折り畳んだ際に三者が自動的に抱合保持されて安定よく持ち運びすることができる機能を備えた足場支持枠を提供することを第２の目的とする。
【課題を解決するための手段】
【００１０】
上記課題を解決するために、本考案では次のような技術的手段を講じた。即ち、本考案の足場支持枠は、筒状の主杆と、当該筒状主杆の筒内を貫通するボルト棒と、前記筒状主杆の先端に配置されて前記ボルト棒の回動操作によって拡大、縮小するジャッキ部と、前記筒状主杆と同じ長さ方向に沿って配置されてその先端が筒状主杆に枢支されたステーと、当該ステーの後端部と前記筒状主杆の後端部とを取付角度調整自在に連結する連結ボルトとを備えた足場支持枠であって、
前記ステーは、前記連結ボルトの先端を出し入れ可能に挿通する貫通孔と、この貫通孔の下方に配置されてステーの先端から出没可能に組み込まれたスライド板とを備え、前記スライド板は、前記連結ボルトを貫通する長孔と、前記連結ボルトに螺合されたナットの周縁下面を係合する係合片とを備えており、当該係合片は、前記スライド板を引き出した位置でナットへの係合が解除されるように形成されている構成とした。
ここで、前記スライド板の露出端に当該スライド板を引き出すための操作爪片が設けられている構成とするのがよい。
【考案の効果】
【００１１】
本考案の足場支持枠は上記のように構成したので、スライド板を引き出したり元位置に戻したりすることで、容易にステーと連結ボルトとの連結をロックしたり、解除したりすることがでる。これにより、ステーと連結ボルトとの連結、分離作業を短時間で簡単に行うことができ、足場支持枠の組み立て作業並びに解体作業の効率化を図ることができるといった効果がある。
【００１２】
本考案において、前記スライド板の係合片をナット係合位置に常時付勢するスプリングが設けられている構成とするのがよい。
これにより、スライド部材を指先で引き出した後、指先から離すことでスプリングにより自動的に元位置に復帰させることができる。
【００１３】
また本考案において、前記ステーに、前記筒状主杆に対して弾力的に嵌合する弾性掴み部が設けられている構成とするのがよい。
これにより、連結ボルト並びにステーを筒状主杆に沿うように折り畳んだ際に、弾性掴み部によって三者が自動的に抱合保持され、安定よく持ち運びすることができる。
【図面の簡単な説明】
【００１４】
【図１】本考案にかかる足場支持枠の下方から見た斜視図。
【図２】本考案にかかる足場支持枠の使用状態を示す側面図。
【図３】ステーと連結ボルトとの連結過程を説明するための一部断面図。
【図４】本考案にかかる足場支持枠を折り畳む過程を示す側面図。
【図５】従来の足場支持枠を示す側面図。
【図６】従来の足場支持枠の折り畳み過程を示す側面図。
【考案を実施するための形態】
【００１５】
以下において、本考案の詳細を図１〜図４に示した実施例に基づいて説明する。
本考案にかかる足場支持枠は、筒状の主杆１と、筒状主杆１の筒内を貫通するボルト棒２と、筒状主杆１の先端に配置されてボルト棒２の回動操作によって拡大、縮小するジャッキ部３と、筒状主杆１と同じ長さ方向に沿って配置されてその先端で枢軸４を介して筒状主杆１に揺動可能に枢支されたステー５と、このステー５の後端部と筒状主杆１の後端部とを取付角度調整自在に連結する連結ボルト６とを備えている。連結ボルト６は、その下端部で枢軸６ａを介して筒状主杆１に揺動可能に連結されている。
【００１６】
ボルト棒２は、後端部で筒状主杆１から露出して回動操作部７により回動できるように形成されており、ボルト棒２の先端部は当該ボルト棒の回動により軸方向に沿って移動する伸縮杆２ａに連結されている。
【００１７】
ジャッキ部３は、互いにクロスした交点で枢支ピン８を介して回動可能に連結された二つのリンク９ａ、９ｂを備えている。リンク９ａの下端は伸縮杆２ａの先端にピン１０により枢支され、リンク９ｂの下端は筒状主杆１にピン１１により枢支されている。リンク９ａの上端は圧着天板１２に長孔１３に沿って摺動するピン１４に枢支され、リンク９ｂの上端はピン１５により圧着天板１２に枢支されている。これにより、回動操作部７を回動することにより伸縮杆２ａが移動して、ジャッキ３が拡大、縮小できるように形成されている。
【００１８】
上記ステー５は、開口部を下向きにした断面コの字状のチャンネル材で形成され、連結ボルト６を出し入れ可能に挿通する貫通孔５ａ（図２、図３参照）と、この貫通孔５ａの下方に配置されてステー５の先端から出没できるようにスライド可能に組み込まれたスライド板１７とを備えている。
【００１９】
スライド板１７は、連結ボルト６を貫通する長孔１７ａと、図３（ｃ）に示すように、連結ボルト６に螺合されたナット１８の周縁下面を係合する係合片１７ｂとを備えている。係合片１７ｂは、スライド板１７の上壁との間でナット１８を挟むことができる間隔をあけて形成されている。また、係合片１７ｂは、前記スライド板１７を図３（ｂ）の引き出し位置でナットへの係合が解除されるように形成されている。
【００２０】
また、スライド板１７の係合片１７ｂを図３（ｃ）に示すナット係合位置に常時弾力的に付勢するスプリング１９が設けられており、スライド板１７の露出端には当該スライド板を指先等で引き出すための操作爪片１７ｃが設けられている。
【００２１】
更に、ステー５の中腹には、筒状主杆１に弾力的に嵌合する左右一対のバネ板により形成された弾性掴み部１６が設けられている。
尚、図中の符号２０は、足場の柵を支持する支柱（図示外）を立てるための受け筒を示すものである。
【００２２】
上記の足場支持枠を使用するときは、図２に示すように、ジャッキ部３を擁壁Ａの水抜きパイプＢに挿入した後、操作部７でボルト棒２を回動してジャッキ部３を拡大し、圧着天板１２を水抜きパイプＢの内面に強く圧着させることにより筒状主杆１を水抜きパイプＢに取り付ける。
次いで、図３（ａ）に示すように、連結ボルト６をスライド部材１７の貫通長孔１７ａ及びステー５の貫通孔５ａを挿通させる。そして、図３（ｂ）に示すように、スライド板１７を引き出した姿勢で、連結ボルト６に予め螺合させてあるナット１８をステー５の貫通孔５ａの下面まで螺進させてステー５を所望の角度に支える。この姿勢で図３（ｃ）に示すように、スライド部材１７をステー内に戻して係合片１７ｂをナット１８の縁部下面に係合させる。これにより、ナット１８はスライド部材１７の上壁と係合片との間で保持されてステー５を設定角度でロックすることができる。
また、ステー５と連結ボルト６とを分離するときは、図３（ｂ）に示すように、スライド板１７を引き出して係合片１７ｂによるナット１８への係合を解除した姿勢で連結ボルト６をステー５の貫通孔５ａから引き抜けばよい。
【００２３】
このように、スライド板１７を引き出したり元位置に戻したりすることで、簡単にステー５と連結ボルト６との連結をロックしたり、解除したりすることがでる。これにより、ステー５と連結ボルト６との連結、分離作業を短時間で簡単に行うことができ、足場支持枠の組み立て作業並びに解体作業の効率化を図ることができる。
【００２４】
また、上記実施例で示した足場支持枠では、ステー５の中腹に、筒状主杆１に弾力的に嵌合する左右一対のバネ板により形成された弾性掴み部１６が設けられているので、不使用時に連結ボルト６並びにステー５を筒状主杆１に沿うように折り畳んだ際に、弾性掴み部１６によって三者が自動的に抱合保持され、互いに分離することなく安定よく持ち運びすることができる。
【００２５】
以上、本考案の代表的な実施例について説明したが、本考案は必ずしも上記の実施形態に特定されるものではなく、本考案の目的を達成し、請求の範囲を逸脱しない範囲内で適宜修正、変更することが可能である。
【産業上の利用可能性】
【００２６】
本考案は、土止めのためのコンクリート打設壁や石積み壁等の擁壁に水抜きのために設けられている水抜き用パイプを利用して作業用足場を作るために使用される足場支持枠に利用することができる。
【符号の説明】
【００２７】
Ａ  擁壁
Ｂ  水抜きパイプ
１  筒状主杆
２  ボルト棒
３  ジャッキ部
４  枢軸
５  ステー
５ａ  貫通孔
６  連結ボルト
７  回動操作部
１６  弾性掴み部
１７  スライド板
１７ａ  長孔
１７ｂ  係合片
１８  ナット
１９  スプリング
【図１】
0003221262.tif 000003
【図２】
0003221262.tif 000004
【図３】
0003221262.tif 000005
【図４】
0003221262.tif 000006
【図５】
0003221262.tif 000007
【図６】
0003221262.tif 000008